(57)【要約】【課題】障子の下框垂下片を嵌入する細い条状のスライド溝を形成した下枠上面略フラット構造の障子下框構造において、下枠上面に形成するスライド溝の間口幅を広げることなく、強度、断熱性が良く、意匠性に優れた障子構造の提供を目的とする。【解決手段】建築物の屋外開口部に備えられた引き違い障子からなるサッシの下枠上面を略フラットに形成するとともに、この下枠上面に細い条状のスライド溝を備え、外障子下框の室内側より垂下片を垂下させて上記下枠のスライド溝に嵌入させた外障子下框構造において、金属製の下框ベース部の室内側よりから、一体的に垂下片ベース部材を垂下させるとともに、この下框ベース部から垂下片ベース部材にわたって樹脂形材からなる室内部材を取り付けたクラッドサッシ構造とし、室内部材の下端が下枠上面のスライド溝の上部に位置し、かつ、この室内部材の下端から樹脂薄片を垂下させてスライド溝部内に臨ませた。【選択図】  図３
2004238960.tif 000002
【特許請求の範囲】
【請求項１】
建築物の屋外開口部に備えられた引き違い障子からなるサッシの下枠上面を略フラットに形成するとともに、この下枠上面に細い条状のスライド溝を備え、外障子下框の室内側よりから垂下片を垂下させて上記下枠のスライド溝に嵌入させた外障子下框構造において、金属製の下框ベース部の室内側よりから、一体的に垂下片ベース部材を垂下させるとともに、この下框ベース部から垂下片ベース部材にわたって樹脂形材からなる室内部材を取り付けたクラッドサッシ構造とし、室内部材の下端が下枠上面のスライド溝の上部に位置し、かつ、この室内部材の下端から樹脂薄片を垂下させてスライド溝部内に臨ませたことを特徴とする断熱サッシの障子下框構造。
【請求項２】
引き違い障子の内障子下框の室外側よりから垂下片を垂下させ、下枠上面に設けた細い条状のスライドに嵌入させ、この内障子下框を金属製の下框ベース部と、その室内側に樹脂形材からなる室内部材を取り付けたクラッド構造とし、外障子下框構造を請求項１記載の外障子下框構造とした引き違い障子。
【発明の詳細な説明】
【０００１】
【発明の属する技術分野】
本発明は、引き違い障子等の障子下框から垂下片を垂下させ、この垂下片を下枠上面略フラットの下枠上面に形成したスライド溝に嵌入させた構造の障子下框クラッドサッシ構造に関する。
【０００２】
【発明が解決しようとする課題】
本願出願人は、下枠上面を略フラットに形成したバリアフリーサッシ構造を検討するに当り、引き違い障子の外障子下框からは、その室内側よりから垂下片を垂下させ、内障子下框からは、その室外側よりから垂下片を垂下させ、一方、下枠上面には、これらの垂下片を嵌入スライドさせるスライド溝を形成した下枠構造を検討した。
このようなバリアフリーサッシ構造においても、断熱サッシ仕様に対する要求が高い。
【０００３】
障子下框等にアルミサッシ等の金属製サッシを用いた場合に、上記外障子の垂下片をアルミ等で形成すると、室内側にアルミ等の金属面が露出して断熱性が劣り、結露も生じやすくなる。
一方、垂下片等を樹脂で形成すると強度が弱く障子のスライド性が悪くなる。
そこで、垂下片部を単にアルミと樹脂の組み合わせにすると、厚みがその分厚くなり、下枠上面に形成するスライド溝の間口幅が広くなり、下枠のバリアフリー性が悪くなる。
【０００４】
このような事情から本発明は、障子の下框垂下片を嵌入する細い条状のスライド溝を形成した下枠上面略フラット構造の障子下框構造において、下枠上面に形成するスライド溝の間口幅を広げることなく、強度、断熱性が良く、意匠性に優れた障子構造の提供を目的とする。
【０００５】
【課題を解決するための手段】
本発明は、上記目的を達成するために、建築物の屋外開口部に備えられた引き違い障子からなるサッシの下枠上面を略フラットに形成するとともに、この下枠上面に細い条状のスライド溝を備え、外障子下框の室内側より垂下片を垂下させて上記下枠のスライド溝に嵌入させた外障子下框構造において、金属製の下框ベース部の室内側よりから、一体的に垂下片ベース部材を垂下させるとともに、この下框ベース部から垂下片ベース部材にわたって樹脂形材からなる室内部材を取り付けたクラッドサッシ構造とし、室内部材の下端が下枠上面のスライド溝の上部に位置し、かつ、この室内部材の下端から樹脂薄片を垂下させてスライド溝部内に臨ませた。
【０００６】
このように、金属製下框ベース部の室内側よりから、同じ金属製の垂下片ベース部材を一体的に垂下されることで、垂下片の強度を確保しつつ、下枠上面のスライド溝の上部直前までを樹脂製の室内部材でクラッド構造にし、室内部材の下端からこの室内部材と同色系の樹脂薄片をスライド溝部内まで垂下（延在）させたことにより、室内側からはアルミ等の金属製の垂下片が見えないようになる。
また、スライド溝部内には樹脂薄片を延在させたので、スライド溝幅をアルミ材単独に比較して広くする必要もなくなる。
【０００７】
引き違い障子において、下框の室内側よりから垂下片を垂下させた外障子は、上記のような構造にし、これに対応した内障子下框に対しては、内障子下框の室外側よりから垂下片を垂下させ、下枠上面に設けた細い条状のスライド溝に嵌入させた構造にし、この内障子下框を金属製の下框ベース部と、その室内側に樹脂製の室内部材を取り付けたクラッド構造にすることにより、断熱性が優れただけでなく、外障子と内障子との意匠の統一性が図れる。
【０００８】
【発明の実施の形態】
本発明に係るサッシ構造の縦断面図を図１に示し、その横断面図を図２に示す。
また、下枠部分の拡大図を図３に示す。
建築物の躯体開口部に下枠１０、上枠２０及び室内から室外側に向かって右縦枠３０、左縦枠４０にて略方形の枠体を形成し、その開口部に室外側から順に、網戸７０、外障子５０、内障子６０がスライド開閉可能に取り付けられている。
なお、網戸は必要に応じて取り付けられるものである。
また、図に示した引き違い障子の場合には、外障子と内障子の２枚戸であるが、本発明は４枚戸等の引き違い障子等にも適用される。
【０００９】
上枠２０は、強度が確保しやすいアルミ押出材等の金属製からなる上枠ベース部材２０ａと２０ｃを樹脂材等の断熱部材２０ｄで連結し、断熱と意匠性を考慮して上枠室内部材２０ｂをその室内側に配設した構造になっている。
【００１０】
右縦枠３０及び左縦枠４０は、それぞれ金属製の縦枠ベース部材３０ａ、４０ａ、の室内側に樹脂製等の縦枠室内部材３０ｂ、４０ｂを連結した断熱構造になっている。
【００１１】
図３の拡大図に基づいて下枠構造を説明する。
下枠１０の下枠ベース部は、室外側下枠ベース部材１１と室内側下枠ベース部材１２を断熱部材１６にて連結して形成されている。
下枠ベース部材には、外障子５０の戸車５１ｃ及び内障子６０の戸車６１ｃが走行する小さな条状突起からなる擬似レール１９ａ、１９ｂが形成されている。
この擬似レール部分とは、独立して分離出来るように下枠カバー部材１５が下枠ベース部に着脱自在に取り付けられている。
下枠カバー部材１５を下枠ベース部に取り付けることにより、外障子５０の下框５１の室内側よりから垂下させた垂下片５１ｅがスライドする外障子用スライド溝１３ａが形成され、その下に排水用の外障子用下枠凹部１４ａが形成される。
また、この下枠カバー部材１５にて外障子下框の垂下片５１ｅの室内側に取り付けたタイト材５１ｆの摺接壁を形成するとともに、内障子６０の下框６１の室外側よりから垂下させた垂下６１ｅがスライドする内障子用スライド溝１３ｂの室外側部を形成し、その下に排水用の内障子用下枠凹部１４ｂが形成される。
なお、障子構造についての詳細は後で述べる。
このように下枠カバー部材１５が障子の戸車走行部より独立しているので、下枠カバー部材１５を引き違い障子の開閉に対して左右の開口部と中央部に分割して取り付けると、障子が一方に寄せて交互に下枠カバー部材を取り外すことができる。
この場合に中央部の下枠カバー部材は、障子召合部に対応した長さにするのがよい。
【００１２】
下枠カバー部材にて形成された外障子下框垂下片５１ｅと内障子下框垂下片６１ｅの間の下枠上面は、図２に示す外障子召合框５４と内障子召合框６４が干渉しない範囲にて最接近させたことにより、その下枠上面幅が最小になっている。
また、この下枠カバー部材で形成した外障子下框垂下片と内障子下框垂下片の間の下枠上面にはホルダー部を設けて樹脂材等の断熱部材１５ａが配設されていて、この部分から熱伝導や結露の発生を防止している。
【００１３】
また、下枠１０の室内側よりの上面には、意匠性と断熱性を考慮して断熱室内部材１７が取り付けられ、下枠上面には全体として略フラットに形成されている。
下枠１０には下枠内部から室内（屋外）に雨水等を排水する排水穴１８及び逆止弁１８ａが設けられている。
【００１４】
外障子は、外障子下框５１、外障子上框５２、及び外障子戸当り框５３と外障子召合框５４にて略方形の枠を形成し、内側にガラス５５等が装着されている。
なお、図１、図２に示す例では、二重のペアガラスタイプになっている。
また、上記下框、上框、戸当り框は、それぞれ金属製のベース部材５１ａ、５２ａ、５３ａの室内側に樹脂材等の断熱材からなる室内部材５１ｂ、５２ｂ、５３ｂが連結されたクラッドサッシ構造となっている。
【００１５】
外障子下框の上記クラッド構造の拡大図を図４（イ）に示し、外障子の下框５１の室外側よりから外障子下框垂下片５１ｅが垂下され、下枠上面に形成した外障子用スライド溝１３ａに嵌入するようになっている。
外障子下框垂下片５１ｅの室内側には、スライド溝１３ａの上部直前まで樹脂製の室内部材５１ｂが配設され、その下端に樹脂薄片５１ｈが垂下し、スライド溝１３ａ内に臨んでいる。
この樹脂薄片は、室内部材と同系色である。
また、垂下片５１ｅの室内側で樹脂薄片の下にはタイト材５１ｆが取り付けられ、下枠のスライド溝側壁（下枠凹部）との間をシールする。
また、外障子下框の底部と下枠上面との間にタイト材５１ｇを取り付けてもよい。
図３に示すように、外障子下框底部には戸車５１ｃが取り付けられ、戸車のタイヤの外周中央部は凹部形状５１ｄになっていて、擬似レール１９ａと当接回転するようになっている。
【００１６】
内障子６０は、内障子下框６１、上框６２、戸当り框６３、召合框６４で略方形の枠を形成され、ガラス６５等が取り付けられている。
なお、図１、図２に示す例では、二重のペアガラスタイプになっている。
また、上記下框、上框、戸当り框、召合框は、それぞれ金属製のベース部材６１ａ、６２ａ、６３ａ、６４ａの室内側に樹脂材等の断熱材からなる室内部材６１ｂ、６２ｂ、６３ｂ、６４ｂが連結されたフラットサッシ構造となっている。
【００１７】
内障子の下框６１の室外側よりから内障子下框垂下片６１ｅが垂下され、下枠上面に形成した内障子用スライド溝１３ｂに嵌入ようになっている。
本発明においては、外障子下框の垂下片が室内側よりから垂下され、内障子がその逆に内障子下框の室外側よりから垂下片を垂下させた構造になっている。
内障子下框垂下片６１ｅの室内側にはタイト材６１ｆが取り付けられ、下枠のスライド溝側壁（下枠凹部）との間をシールする。
内障子下框底部には戸車６１ｃが取り付けられ、戸車のタイヤの外周中央部は凹部形状６１ｄになっていて、擬似レール１９ｂと当接回転するようになっている。
図４（ロ）に示すように、内障子の下框の室内部材６１ｂ下端には、この室内部材と同系色の臼片６１ｈが取り付けられている。
【００１８】
網戸７０は、下框７１、上框７２、左右の縦框７３、７４にて略方形の枠を形成し、枠内に網７５が張設されている。
網戸の下框には室内側よりから垂下片が垂下され、下枠のスライド溝に嵌入し、この垂下片と下枠のスライド溝にて虫押えラインを形成している。
【００１９】
【発明の効果】
本発明においては、障子下框の室内側よりから垂下片を垂下させ、下枠上面の細い条状のスライド溝に嵌入させたバリアフリー構造とした場合に、スライド溝の上部直前までは金属と樹脂のクラッド構造とし、この樹脂材等の室内部材の下端からスライド溝部内に向けて樹脂薄片を垂下させたので、スライド溝幅を広くすることなく、室内側からは樹脂材等で形成した室内色しか見えないように統一出来る。
【００２０】
また、下框から設けた垂下片の室内側を樹脂材等の断熱材にしたので、この部分からの外部熱伝導を防止出来るとともに、仮に、たとえ結露が生じた場合には室内部材の下端に延在させた樹脂薄片をつたって下枠のスライド溝から下枠凹部を経由して排水することができる。
【図面の簡単な説明】
【図１】本発明に係るサッシ構造の縦断面図を示す。
【図２】本発明に係るサッシ構造の横断面図を示す。
【図３】下枠付近の拡大図を示す。
【図４】下框の室内部材の下端構造を示す。
【符号の説明】
１０    下枠
１１    室外側下枠ベース部材
１２    室内側下枠ベース部材
１３ａ  外障子用スライド溝
１３ｂ  内障子用スライド溝
１４ａ  外障子用下枠凹部
１４ｂ  内障子用下枠凹部
１５    下枠カバー部材
１５ａ  断熱部材
１６    断熱部材
１７    断熱室内部材
１８    下枠排水穴
１８ａ  逆止弁
１９ａ、１９ｂ  擬似レール
２０    上枠
２０ａ、２０ｃ  上枠ベース部材
２０ｂ  上枠室内部材
２０ｄ  断熱部材
３０    右縦枠
３０ａ  右縦枠ベース部材
３０ｂ  右縦枠室内部材
４０    左縦枠
４０ａ  左縦枠ベース部材
４０ｂ  左縦枠室内部材
５０    外障子
５１    外障子下框
５１ａ  外障子下框ベース部材
５１ｂ  外障子下框断熱室内部材
５１ｃ  外障子戸車
５１ｄ  外障子戸車凹部
５１ｅ  外障子下框垂下片
５１ｆ  外障子下框タイト材
５１ｇ  外障子下框底部タイト材
５１ｈ  外障子下框室内部材の下端に延在（垂下）させた樹脂薄片
６０    内障子
６１    内障子下框
６１ａ  内障子下框ベース部材
６１ｂ  内障子下框断熱室内部材
６１ｃ  内障子戸車
６１ｄ  内障子戸車凹部
６１ｅ  内障子下框垂下片
６１ｆ  内障子下框タイト材
６１ｈ  内障子下框室内部材の下端に延在（垂下）させた樹脂薄片
７０    網戸
【図１】
2004238960.tif 000003
【図２】
2004238960.tif 000004
【図３】
2004238960.tif 000005
【図４】
2004238960.tif 000006